(57)【要約】第１ユーザ端末（４）は、少なくとも１つの第２ユーザ端末（４，６，８）から、その第２ユーザ端末（４，６，８）によってアクセスされる少なくとも１つのウェブページのアドレスを得るよう動作するコレクタモジュールを有する。アドレスは範囲と関連付けられる。第１ユーザ端末（４）は、得られたアドレス及び範囲に基づきユーザのプロファイルを構成するよう動作するプロファイルマネージャを更に有する。
2017520048.tif 000002
【特許請求の範囲】
【請求項１】
第１ユーザ端末であって、
少なくとも１つの第２ユーザ端末から、該第２ユーザ端末によってアクセスされる少なくとも１つのウェブページのアドレスを得るよう動作するコレクタモジュールであり、前記アドレスは範囲と関連付けられる、前記コレクタモジュールと、
前記得られたアドレス及び前記範囲に基づきユーザのプロファイルを構成するよう動作するプロファイルマネージャと
を有する第１ユーザ端末。
【請求項２】
前記第２ユーザ端末は、当該第１ユーザ端末又は他のユーザ端末である、
請求項１に記載の第１ユーザ端末。
【請求項３】
前記範囲は、期間及び／又は場所を有する、
請求項１又は２に記載の第１ユーザ端末。
【請求項４】
前記アドレスは、ユニフォームリソースロケータ、ＵＲＬである、
請求項１乃至３のうちいずれか一項に記載の第１ユーザ端末。
【請求項５】
前記アドレスと関連付けられる前記範囲は、前記ユーザによって与えられるラベルによって特定される、
請求項１乃至４のうちいずれか一項に記載の第１ユーザ端末。
【請求項６】
前記ラベルは、前記ユーザ端末が前記ウェブページにアクセスする場合に与えられる、
請求項１乃至５のうちいずれか一項に記載の第１ユーザ端末。
【請求項７】
前記プロファイルマネージャは、同じラベルを有する前記得られたアドレスをグループにまとめるよう動作する、
請求項６に記載の第１ユーザ端末。
【請求項８】
前記プロファイルマネージャは、
同じ範囲と関連付けられる前記アクセスされたウェブページにおいてキーワードを特定し、
前記特定されたキーワードを有する組として前記プロファイルを定義する
よう動作する、請求項１乃至７のうちいずれか一項に記載の第１ユーザ端末。
【請求項９】
前記プロファイルマネージャは、前記構成されたプロファイルを外部サーバと共有するよう動作する、
請求項１乃至８のうちいずれか一項に記載の第１ユーザ端末。
【請求項１０】
前記プロファイルマネージャは、暗号化された形式の前記プロファイルを外部サーバと共有するよう動作する、
請求項１乃至８のうちいずれか一項に記載の第１ユーザ端末。
【請求項１１】
ユーザプロファイルを構成する方法であって、
少なくとも１つのユーザ端末から、該ユーザ端末によってアクセスされる少なくとも１つのウェブページのアドレスを得るステップであり、前記アドレスは範囲と関連付けられる、ステップと、
前記得られたアドレス及び前記範囲に基づきユーザのプロファイルを構成するステップと
を有する方法。
【請求項１２】
当該方法は、第１ユーザ端末によって実施される、
請求項１１に記載の方法。
【請求項１３】
前記プロファイルを暗号化し、該暗号化されたプロファイルを外部サーバと共有するステップ
を有する請求項１１又は１２に記載の方法。
【請求項１４】
前記ユーザによる前記構成されたプロファイルの変更
を有する請求項１１乃至１３のうちいずれか一項に記載の方法。
【請求項１５】
請求項１１乃至１４のうちいずれか一項に記載の方法を実行することをコンピュータに可能にするコンピュータ実行可能命令を有するコンピュータ可読プログラム。
【発明の詳細な説明】
【技術分野】
【０００１】
本発明は、コンテンツレコメンデーションの分野に概して関係がある。特に、本発明は、例えば、的を絞った宣伝行為に関連して、ユーザへの関連情報の提供を扱う。よって、本発明は、ユーザプロファイルを構成するよう動作するユーザ端末を提供する。本発明は、ユーザプロファイルを構成する方法及び本発明の方法を実施するコンピュータプログラムにも関係がある。
【背景技術】
【０００２】
本欄で記載されるアプローチは追求されてよいが、以前から検討又は追求されてきたアプローチでは必ずしもない。従って、本願で特段示されない限りは、本欄で記載されるアプローチは、本願における特許請求の範囲に対する先行技術ではなく、本欄における包含をもって先行技術であると認められるものではない。
【０００３】
今日、デスクトップ、携帯電話機及びタブレットのような、接続されているユーザ端末に対して提供される的を絞った広告は、ユーザのオンラインインタラクションから概して抽出されたユーザのプロファイルに基づく。具体的に、ウェブサイトは、長期間にわたってユーザを監視し、この広範囲の監視に基づき、ユーザプロファイルは構成され、そのユーザプロファイルに適応した広告を選択するために使用される。
【０００４】
非常に高いレベルで、エンドユーザプロファイルは、エンドユーザ挙動の観測から推測された関心カテゴリを踏まえる。ユーザがあるトピック（例えば、製品の決定されたカテゴリ）に関する多数のウェブサイトを訪れる場合に、ユーザはこのカテゴリの製品に興味があると推測され得る。このように、ユーザがこのカテゴリの製品のセールに関する広告を示されるべきであった場合に、この広告は、少なくとも他のカテゴリの製品に関するよりも多く、そのユーザにとって関係ある可能性がある。
【０００５】
広告を選択する他の方法は、ユーザの地理的位置を用いることを伴う。これは、例えば、地元の店やレストランなどに関する広告の場合である。
【０００６】
しかし、このような非常に粗いプロファイリングは、ユーザにとって直接には関係がない広告を非常に頻繁にもたらす。
【０００７】
例えば、ユーザが靴に関する多数のウェブサイトを訪れるが、靴を購入する気はないと仮定する。同じユーザはまた、おそらくは、１０日以内に購入されるべき誕生日プレゼントとして、特定のカメラに関するレビューを読むために多数のウェブサイトを訪れる。オンラインのアドバタイザは、その場合に、このユーザが“靴”及び“カメラ”に関する広告の対象である可能性が高いと推測する。しかし、ユーザは近い将来のためにカメラにしか興味がないので、靴に関する広告はユーザにとって関係がないことは明らかである。
【０００８】
この例は、ユーザが特定の広告を見ることに興味があり得る場合に、それらに関して集められたデータに基づき推測することは困難であることを示す。
【０００９】
ユーザは、彼らが近い将来に購入したいものに関する、又は彼らに明確な利益をもたらすだろうものに関する広告を欲している可能性が高く、そのような広告に応えるだろう。
【００１０】
このような明確な利益の意向は、集められたデータに基づき推測することが、不可能でないにしても、困難である。
【００１１】
既存の問題に伴う他の問題は、ユーザに実際に配信される広告に対してユーザが有する制御が極めて限られている点である。いくつかのウェブサービスは、今日、ユーザが自身のプロファイルから特定の推測された興味を削除することを許されるエンドユーザダッシュボードを提供する。このメカニズムは有用であり、若干のカスタマイズを許すが、ユーザが示されたいと望む広告のみを配信するには十分に有効でない。
【００１２】
更に、外部エンティティによってユーザを監視してユーザプロファイルを構成する事実は、ユーザのプライバシーの問題を提起する。
【発明の概要】
【００１３】
本発明は、状況を改善する解決法を提案する。
【００１４】
然るに、本発明は、第１ユーザ端末であって、
少なくとも１つの第２ユーザ端末から、該第２ユーザ端末によってアクセスされる少なくとも１つのウェブページのアドレスを得るよう動作するコレクタモジュールであり、前記アドレスは範囲と関連付けられる、前記コレクタモジュールと、
前記得られたアドレス及び前記範囲に基づきユーザのプロファイルを構成するよう動作するプロファイルマネージャと
を有する第１ユーザ端末を提供する。
【００１５】
既存の方法とは逆に、本発明は、範囲を、ユーザに関係がある何らかの情報、特に、ユーザが所与のトピックによって興味を起こされている場合に彼らがアクセスするウェブページ、と関連付けることをユーザに可能にする。この範囲は、この興味がいくつかのコンテキストにおいて有効であり、他のコンテンツにおいて有効でないことを示す。このように、前記範囲を知りながら構成されたユーザプロファイルは、より関係がある。
【００１６】
更に、ユーザ端末内でユーザプロファイルを構成することによって、ユーザのプライバシーは適切に保護される。
【００１７】
有利なことに、前記第２ユーザ端末は、当該第１ユーザ端末又は他のユーザ端末である。
【００１８】
有利なことに、前記範囲は、期間及び／又は場所を有する。
【００１９】
アドレスを期間と関連付けることによって、ユーザは、情報がこの期間内にユーザにとって有用であり、この期間外では有用でないことを示す。これは、上述された“カメラ”の例に対応する。
【００２０】
情報を場所と関連付けることによって、ユーザは、ユーザがこの場所内にいる場合に情報が有用であり／関係があり、この場所の外ではそうではないことを示す。
【００２１】
例えば、情報は、「I  am  interested  with  buying  a  watch」（私は時計を買うことに興味がある）であってよく、範囲は、「this  information  is  valid  until  July  5,  2014  when  I  am  near  a  store  that  sells  watches」（この情報は、２０１４年７月５日まで、私が時計を売っている店の近くにいる場合に有効である）であってよい。
【００２２】
実施形態に従って、前記アドレスは、ユニフォームリソースロケータ、ＵＲＬである。
【００２３】
有利なことに、前記アドレスと関連付けられる前記範囲は、前記ユーザによって与えられるラベルによって特定される。
【００２４】
望ましくは、前記ラベルは、前記ユーザ端末が前記ウェブページにアクセスする場合に与えられる。
【００２５】
ラベルの例は、時間的及び／又は空間的範囲を組み込む「birthday  present」（誕生日プレゼント）である。
【００２６】
有利なことに、前記プロファイルマネージャは、同じラベルを有する前記得られたアドレスをグループにまとめるよう動作する。
【００２７】
有利なことに、前記プロファイルマネージャは、
同じ範囲と関連付けられる前記アクセスされたウェブページにおいてキーワードを特定し、
前記特定されたキーワードを有する組として前記プロファイルを定義する
よう動作する。
【００２８】
例えば、時計に関する情報を有する多数のウェブサイト、特に、特定のタイプの時計に関する情報を有するウェブサイトをユーザが訪れることを考えるとする。それらのウェブサイトから得られるキーワードの可能な組は、“watches”（時計）、“luxury  goods”（高級品）、“retailing”（小売り）、“timepieces”（時計）であってよい。キーワードのこの組は、エンドユーザの１つのプロファイルを構成し、ラベル「birthday  present」を有する定義された範囲と関連付けられる。
【００２９】
実施形態に従って、前記プロファイルマネージャは、前記構成されたプロファイルを外部サーバと共有するよう動作する。
【００３０】
前記外部サーバは、有利なことに、インターネットネットワークを通じて前記第１ユーザ端末へ接続されている広告サーバである。
【００３１】
他の実施形態に従って、前記プロファイルマネージャは、暗号化された形式の前記プロファイルを外部サーバと共有するよう動作する。
【００３２】
この実施形態は、前記外部サーバ（例えば、広告サーバ）が信頼できるエンティティでない場合に特に関心をひく。このように、ユーザのプライバシーは完全に守られる。
【００３３】
本発明はまた、ユーザプロファイルを構成する方法であって、
少なくとも１つのユーザ端末から、該ユーザ端末によってアクセスされる少なくとも１つのウェブページのアドレスを得るステップであり、前記アドレスは範囲と関連付けられる、ステップと、
前記得られたアドレス及び前記範囲に基づきユーザのプロファイルを構成するステップと
を有する方法を提供する。
【００３４】
有利なことに、当該方法は、第１ユーザ端末によって実施される。
【００３５】
よって、ユーザのプライバシーは保護される。
【００３６】
実施形態に従って、当該方法は、前記プロファイルを暗号化し、該暗号化されたプロファイルを外部サーバと共有するステップを有する。
【００３７】
有利なことに、当該方法は、前記ユーザによる前記構成されたプロファイルの変更を有する。
【００３８】
よって、ユーザは、自動的に生成されたプロファイルを編集し精緻化することができる。
【００３９】
ユーザは、項目を削除又は追加することによって、生成されたプロファイルを見直してよい。
【００４０】
例えば、前述の例において、ユーザは、時計に特に興味がある場合に、“retailing”（小売り）及び“luxury”（高級品）を除外してよい。
【００４１】
加えて、ユーザは、例えば、時間範囲を変更することによって、及び／又は場所範囲に更にフィルタをかけることによって、前記範囲自体を変更することを可能にされてよい。
【００４２】
本発明に従う方法は、プログラム可能な装置においてソフトウェアで実施されてよい。それは、もっぱらハードウェアにおいて若しくはソフトウェアにおいて、又はそれらの組み合わせにおいて実施されてよい。
【００４３】
本発明はソフトウェアで実施され得るので、本発明は、何らかの適切なキャリア媒体におけるプログラム可能な装置への提供のためにコンピュータ可読コードとして具現され得る。キャリア媒体は、フロッピー（登録商標）ディスク、ＣＤ−ＲＯＭ、ハードディスクドライブ、磁気テープデバイス又は固体状態メモリデバイス及び同様のもののような記憶媒体を有してよい。
【００４４】
本発明は、本発明の方法を実行することをコンピュータに可能にするコンピュータ実行可能命令を有するコンピュータ可読プログラムをこのようにして提供する。図３のダイアグラムは、そのようなコンピュータプログラムのための一般的なアルゴリズムの例を表す。
【図面の簡単な説明】
【００４５】
本発明は、添付の図面の図において、限定としてではなく、例として表されている。図中、同じ参照符号は同様の要素を参照する。
【図１】本発明の実施形態に従ってユーザプロファイルを構成する方法を実施するシステムの概略図である。
【図２】本発明の実施形態に従うユーザ端末の構造を表す。
【図３】本発明の実施形態に従ってユーザプロファイルを構成する方法のステップを示すフローチャートである。
【発明を実施するための形態】
【００４６】
図１を参照すると、本発明の実施形態の実施の例として、宣伝行為システムの概略図が図示されている。宣伝行為システム２に従って、複数のユーザ端末４、６、８を有するユーザは、インターネットネットワークを通じてそれらのユーザ端末へ接続されている少なくとも１つの広告サーバ１０から種々のサービス及び／又は製品に関する広告を受け取ってよい。
【００４７】
ユーザ端末４、６、８は、スマートフォン、タブレット、ラップトップなどを有してよい。
【００４８】
本発明の実施形態に従って、ユーザ端末のうちの１つ、例えば、ユーザ端末４（以降の記載で、「第１ユーザ端末４」と呼ばれる。）は、特定のトピックに対するユーザの興味に関する情報を有する少なくとも１つのユーザプロファイルを構成することができる。第１ユーザ端末４は、ユーザが自身にとって関係がある適切な広告を広告サーバ１０からユーザ端末４、６、８において受け取るために、構成されたユーザプロファイルを広告サーバ１０へ与えることもできる。
【００４９】
第１ユーザ端末４は、望ましくはモバイル端末、例えば、ユーザのスマートフォンである。
【００５０】
第１ユーザ端末４の構造は、本発明の実施形態に従って、図２において表されている。
【００５１】
本発明に従う第１ユーザ端末は、バッファメモリＲＡＭを有するメモリと、例えばマイクロプロセッサμＰを備えられ、本発明に従ってユーザプロファイルを構成する方法を実施するコンピュータプログラムによって駆動されるプロセッシングユニットとを有する。
【００５２】
第１ユーザ端末４は、少なくとも１つのトピックに対するユーザの興味に関する情報をユーザ端末４、６、８から収集するよう動作するコレクタモジュール１２を有する。情報は、有利なことに、情報が有効であるコンテキストを示す範囲と関連付けられる。
【００５３】
第１ユーザ端末４は、収集された情報及び範囲に基づきユーザのプロファイルを自動的に構成するよう動作するプロファイルマネージャ１４を更に有する。
【００５４】
図３のフローチャートは、本発明の実施形態に従って、第１ユーザ端末４によって実施される本発明の、ユーザプロファイルを構成する方法のステップを表す。
【００５５】
ステップ１６で、ユーザは、１つ又は複数のユーザ端末４、６、８を用いて、関心のある特定の項目に関してオンラインで情報を検索する。このために、ユーザは、価格情報を有するウェブサイトにアクセスするか、又は関心のあるそれらの項目に関して閲覧する。
【００５６】
それらのウェブサイトにアクセスする場合に、ユーザは、有利なことに、夫々の訪問したウェブサイトと関連付けられる範囲を定義するよう勧められる。範囲は、情報が有効であるコンテキスト、例えば、期間及び／又は場所を示す。
【００５７】
ユーザが、範囲を、アクセスされたウェブサイトと明示的に関連付けない場合に、そのウェブサイトはデフォルトの範囲と関連付けられる。例えば、このデフォルトの範囲は、所与のコンテキストへの制限を伴わない普遍的な範囲と見なされてよい。
【００５８】
実施形態に従って、範囲は、ユーザによって与えられるラベルによって特定される。
【００５９】
例えば、ラベルは「Dad’s  birthday  present」（お父さんの誕生日プレゼント）であってよく、時間的コンテキスト、例えば、「valid  till  July  5,  2014」（２０１４年７月５日まで有効）、及び／又は位置コンテキスト、例えば、「near  watch  shop」（時計店の近く）を組み込む。
【００６０】
ステップ１８で、コレクタモジュール１２は、関心のある特定の項目に関してオンラインで情報を検索する場合にユーザによって生成されるＵＲＬをユーザ端末４、６、８から収集する。例えば、それらのＵＲＬは、価格情報を有するか又は特定の製品若しくはサービスに関して閲覧するウェブサイトのＵＲＬである。
【００６１】
ステップ２０で、プロファイルマネージャ１４は、同じラベルを有する収集されたアドレスをグループにまとめる。
【００６２】
ステップ２２で、プロファイルマネージャ１４は、特定のラベルに対応する収集されたアドレスの各グループについてユーザのプロファイルを構成する。
【００６３】
このプロファイリングを実施するために、プロファイルマネージャ１４は、夫々のアクセスされたウェブページをラベルを用いて解析し、ページに関する文脈情報（例えば、トピック、キーワード、コンセプト、ウェブサイトカテゴリ、など）を抽出する。これは、ローカルで、あるいは、この解析を実施することができるオンラインサービスと相互に作用することによってもっと容易に、行われてよい。プロファイルマネージャ１４は、次いで、プロファイルを、例えば、このメタデータの縮小形式として、定義する。１つのそのようなインスタンス化は、全てのアクセスされたウェブページに共通する範囲、キーワードと単に関連付ける。
【００６４】
例えば、ユーザは、時計に関する情報を有する多数のウェブサイト、特に、特定のタイプの時計に関する情報を有するウェブサイトを訪れると仮定する。それらのウェブサイトから得られるキーワードの可能な組は、“watches”（時計）、“luxury  goods”（高級品）、“retailing”（小売り）、“timepieces”（時計）であってよい。キーワードのこの組は、エンドユーザの１つのプロファイルを構成し、ラベル「birthday  present」を有する定義された範囲と関連付けられる。
【００６５】
任意に、ステップ２４で、ユーザは、例えば、項目を削除又は追加することによって、構成されたプロファイルを編集し精緻化してよい。
【００６６】
例えば、前述の例において、ユーザは、時計に特に興味がある場合に、“retailing”（小売り）及び“luxury”（高級品）を除外してよい。
【００６７】
加えて、ユーザは、例えば、時間範囲を変更することによって、及び／又は場所範囲に更にフィルタをかけることによって、範囲自体を変更することを可能にされてよい。
【００６８】
ユーザはまた、デフォルトの範囲から新しい範囲を複製してよい。
【００６９】
ステップ２６で、決定された頻度で実施されるならば、プロファイルマネージャ１４は、所与のコンテキストにおいてアクティブな範囲を持ったユーザプロファイルが存在するかどうかを判定する。
【００７０】
次いで、第１ユーザ端末４は、それらのユーザプロファイルを広告サーバ１０と共有する。
【００７１】
アクティブな範囲を特定するために、プロファイルマネージャ１４は、全ての構成されたユーザプロファイルをくまなく調べ、手近に関心のあるビジネスに関して、第三者アプリケーション（例えば、Ｇｏｏｇｌｅ（登録商標）  Ｐｌａｃｅｓ）に情報を要求する。
【００７２】
例に倣うよう、第１ユーザ端末４を持ったユーザが町を動き回っている場合に、プロファイルマネージャ１４は、エンドユーザの直ぐ近くに何らかの時計店があるかどうかを周期的にクエリすることができる。
【００７３】
第三者アプリケーションが非空の結果の組を返す場合に、第１ユーザ端末４は、ステップ２８で、対応するユーザプロファイルを広告サーバ１０へ送る。広告サーバ１０は、次いで、関連する広告を返す。
【００７４】
有利なことに、プロファイルマネージャ１４と広告サーバ１０との間の通信は、多数の方法で起こり、いくつかのトラストモデルをカバーすることができる。
【００７５】
最も簡単な場合において、広告サーバ１０は、信頼できるエンティティであり、ユーザプロファイルは、明らかな形でその広告サーバ１０と共有される。
【００７６】
広告サーバ１０が信頼できず、ユーザがユーザプロファイルを直接に開示することを望まない場合において、プライベートマッチング（private  matching）アルゴリズムが適用され得る。例えば、暗号化された形のユーザプロファイルが広告サーバ１０と共有される。広告サーバ１０は、その場合に、実際のキーワードを抽出し、広告との照合を実施することができる。
【００７７】
ユーザプロファイルの時間的範囲が経過する場合に、プロファイルマネージャ１４は、ステップ３０で、関連するユーザプロファイルを削除する。
【００７８】
本発明の好適な実施形態であると目下考えられているものが例示及び記載されてきたが、様々な他の変更が行われてよく、同等のものが、本発明の実際の適用範囲から外れることなしに、代用されてよいことは、当業者によって理解されるだろう。加えて、多くの変更は、本願で記載される主要な発明概念から外れることなしに、特定の状況を本発明の教示に適用するよう行われてよい。更には、本発明の実施形態は、上述されている全ての特徴を含まなくてよい。従って、本発明は、開示されている特定の実施形態に制限されず、本発明は、添付の特許請求の範囲の適用範囲内にある全ての実施形態を含むことが意図される。
【００７９】
「有する（comprises）」、「含む（include）」、「組み込む（incorporate）」、「含む（contain）」、「〜である（is）」、及び「持つ（have）」のような表現は、本明細書及びその関連する特許請求の範囲を解釈する場合に、非排他的な様態において解釈されるべきである。すなわち、存在することができると明示的に定義されていない他の項目又はコンポーネントを認める解釈されるべきである。単数への言及はまた、複数への言及であると解釈されるべきであり、その逆も同様である。
【００８０】
当業者であれば、本明細書で開示されている様々なパラメータは変更されてよく、開示及び／又は請求されている様々な実施形態は、本発明の適用範囲から逸脱することなしに、組み合わされてよいことを容易に認識するだろう。
【００８１】
例えば、本発明に従ってプロファイルを構成する方法は、夫々のユーザ端末においてローカルで実施され得る。プロファイルの構成はまた、全てのユーザ端末によってアクセス可能な中央サーバへオフロードされてよい。
【図１】
2017520048.tif 000003
【図２】
2017520048.tif 000004
【図３】
2017520048.tif 000005
【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
第１ユーザ端末であって、
少なくとも１つの第２ユーザ端末から、該第２ユーザ端末によってアクセスされる少なくとも１つのウェブページのアドレスを得るよう動作するコレクタモジュールであり、前記アドレスは、前記第２ユーザ端末のユーザが少なくとも１つのコンテキストにおいて少なくとも１つのトピックに興味を持っており、少なくとも１つの他のコンテキストにおいては興味を持っていないことを示す範囲と関連付けられる、前記コレクタモジュールと、
前記得られたアドレス及び前記範囲に基づき前記ユーザのプロファイルを構成するよう動作するプロファイルマネージャと
を有し、
当該第１ユーザ端末は、当該第１ユーザ端末のメモリにおいて前記プロファイルを記憶するよう構成され、当該第１ユーザ端末は、通信ネットワークを介して外部サーバと前記プロファイルを共有するよう更に構成される、第１ユーザ端末。
【請求項２】
前記通信ネットワークを介して前記外部サーバから広告データを受け取るよう更に構成され、
前記広告データは、前記プロファイルと関係がある、
請求項１に記載の第１ユーザ端末。
【請求項３】
前記第２ユーザ端末は、当該第１ユーザ端末又は他のユーザ端末である、
請求項１又は２に記載の第１ユーザ端末。
【請求項４】
前記範囲は、期間及び／又は場所を有する、
請求項１乃至３のうちいずれか一項に記載の第１ユーザ端末。
【請求項５】
前記アドレスは、ユニフォームリソースロケータ、ＵＲＬである、
請求項１乃至４のうちいずれか一項に記載の第１ユーザ端末。
【請求項６】
前記アドレスと関連付けられる前記範囲は、前記ユーザによって与えられるラベルによって特定される、
請求項１乃至５のうちいずれか一項に記載の第１ユーザ端末。
【請求項７】
前記ラベルは、前記ユーザ端末が前記ウェブページにアクセスする場合に与えられる、
請求項１乃至６のうちいずれか一項に記載の第１ユーザ端末。
【請求項８】
前記プロファイルマネージャは、同じラベルを有する前記得られたアドレスをグループにまとめるよう動作する、
請求項７に記載の第１ユーザ端末。
【請求項９】
前記プロファイルマネージャは、
同じ範囲と関連付けられる前記アクセスされたウェブページにおいてキーワードを特定し、
前記特定されたキーワードを有する組として前記プロファイルを定義する
よう動作する、請求項１乃至８のうちいずれか一項に記載の第１ユーザ端末。
【請求項１０】
前記プロファイルマネージャは、前記構成されたプロファイルを外部サーバと共有するよう動作する、
請求項１乃至９のうちいずれか一項に記載の第１ユーザ端末。
【請求項１１】
前記プロファイルマネージャは、暗号化された形式の前記プロファイルを外部サーバと共有するよう動作する、
請求項１乃至９のうちいずれか一項に記載の第１ユーザ端末。
【請求項１２】
ユーザプロファイルを構成する方法であって、
少なくとも１つのユーザ端末から、該ユーザ端末によってアクセスされる少なくとも１つのウェブページのアドレスを得るステップであり、前記アドレスは、前記ユーザ端末のユーザが少なくとも１つのコンテキストにおいて少なくとも１つのトピックに興味を持っており、少なくとも１つの他のコンテキストにおいては興味を持っていないことを示す範囲と関連付けられる、ステップと、
前記得られたアドレス及び前記範囲に基づき前記ユーザのプロファイルを構成するステップと、
メモリにおいて前記プロファイルを記憶するステップと、
通信ネットワークを介して外部サーバと前記プロファイルを共有するステップと
を有する方法。
【請求項１３】
当該方法は、第１ユーザ端末によって実施される、
請求項１２に記載の方法。
【請求項１４】
前記ユーザによる前記構成されたプロファイルの変更
を有する請求項１２又は１３に記載の方法。
【請求項１５】
請求項１２乃至１４のうちいずれか一項に記載の方法を実行することをコンピュータに可能にするコンピュータ実行可能命令を有するコンピュータ可読プログラム。
【手続補正２】
【補正対象書類名】明細書
【補正対象項目名】００８１
【補正方法】変更
【補正の内容】
【００８１】
例えば、本発明に従ってプロファイルを構成する方法は、夫々のユーザ端末においてローカルで実施され得る。プロファイルの構成はまた、全てのユーザ端末によってアクセス可能な中央サーバへオフロードされてよい。  
上記の実施形態に加えて、以下の付記を開示する。
（付記１）
第１ユーザ端末であって、
少なくとも１つの第２ユーザ端末から、該第２ユーザ端末によってアクセスされる少なくとも１つのウェブページのアドレスを得るよう動作するコレクタモジュールであり、前記アドレスは範囲と関連付けられる、前記コレクタモジュールと、
前記得られたアドレス及び前記範囲に基づきユーザのプロファイルを構成するよう動作するプロファイルマネージャと
を有する第１ユーザ端末。
（付記２）
前記第２ユーザ端末は、当該第１ユーザ端末又は他のユーザ端末である、
付記１に記載の第１ユーザ端末。
（付記３）
前記範囲は、期間及び／又は場所を有する、
付記１又は２に記載の第１ユーザ端末。
（付記４）
前記アドレスは、ユニフォームリソースロケータ、ＵＲＬである、
付記１乃至３のうちいずれか一つに記載の第１ユーザ端末。
（付記５）
前記アドレスと関連付けられる前記範囲は、前記ユーザによって与えられるラベルによって特定される、
付記１乃至４のうちいずれか一つに記載の第１ユーザ端末。
（付記６）
前記ラベルは、前記ユーザ端末が前記ウェブページにアクセスする場合に与えられる、
付記１乃至５のうちいずれか一つに記載の第１ユーザ端末。
（付記７）
前記プロファイルマネージャは、同じラベルを有する前記得られたアドレスをグループにまとめるよう動作する、
付記６に記載の第１ユーザ端末。
（付記８）
前記プロファイルマネージャは、
同じ範囲と関連付けられる前記アクセスされたウェブページにおいてキーワードを特定し、
前記特定されたキーワードを有する組として前記プロファイルを定義する
よう動作する、付記１乃至７のうちいずれか一つに記載の第１ユーザ端末。
（付記９）
前記プロファイルマネージャは、前記構成されたプロファイルを外部サーバと共有するよう動作する、
付記１乃至８のうちいずれか一つに記載の第１ユーザ端末。
（付記１０）
前記プロファイルマネージャは、暗号化された形式の前記プロファイルを外部サーバと共有するよう動作する、
付記１乃至８のうちいずれか一つに記載の第１ユーザ端末。
（付記１１）
ユーザプロファイルを構成する方法であって、
少なくとも１つのユーザ端末から、該ユーザ端末によってアクセスされる少なくとも１つのウェブページのアドレスを得るステップであり、前記アドレスは範囲と関連付けられる、ステップと、
前記得られたアドレス及び前記範囲に基づきユーザのプロファイルを構成するステップと
を有する方法。
（付記１２）
当該方法は、第１ユーザ端末によって実施される、
付記１１に記載の方法。
（付記１３）
前記プロファイルを暗号化し、該暗号化されたプロファイルを外部サーバと共有するステップ
を有する付記１１又は１２に記載の方法。
（付記１４）
前記ユーザによる前記構成されたプロファイルの変更
を有する付記１１乃至１３のうちいずれか一つに記載の方法。
（付記１５）
付記１１乃至１４のうちいずれか一つに記載の方法を実行することをコンピュータに可能にするコンピュータ実行可能命令を有するコンピュータ可読プログラム。
【国際調査報告】
2017520048.tif 000006
2017520048.tif 000007
2017520048.tif 000008